(57)【要約】      （修正有）【課題】欠陥の１つである異物をほとんど検出することなく、ディスク基板をチャックしたときに残るチャック痕、疵や欠け等の外周欠陥を高精度に検出することができるようなディスクの周面欠陥検出方法および検査装置を提供する。【解決手段】チャンファ部の表面に対して４５°±５°の範囲にある入射角で入射した光の正反射光を絞りを介して受光器で受光することで、散乱光を多く発生する異物の受光信号のレベルの低下を小さく抑えて、ノイズに近いものとし、チャック痕による疵等の受光信号のレベルを大きく低下させ、異物と疵の検出信号の間のレベル差を大きくする。その上で、ディスクの回転により発生するディスク外周面の上下方向の振れによる受光信号の信号基準レベルの変動を抑制しあるいは変動をキャンセルする。これにより受光信号においてレベルが大きく低下した外周欠陥の検出信号を容易に得ることができる。【選択図】  図１
2008111830.tif 000002
【特許請求の範囲】
【請求項１】
ディスクの外周面の欠陥を検出するディスクの周面欠陥検出方法において、
回転するディスクの外周チャンファ部の表面に対して４５°±５°の範囲にある入射角で光ビームを前記外周チャンファ部に照射し、
前記外周チャンファ部から所定距離離れて設けられた受光器で前記外周チャンファ部からの正反射光を絞りを介して受光して受光信号を得て、
前記ディスクの回転により発生する前記外周面の振れによる前記受光信号の信号基準レベルの変動を抑制しあるいは変動をキャンセルして前記外周面の欠陥の検出信号を得るディスクの周面欠陥検出方法。
【請求項２】
前記絞りの孔径を選択して前記外周チャンファ部の幅に対応する正反射光を通過させる請求項１記載のディスクの周面欠陥検出方法。
【請求項３】
前記受光信号の信号基準レベルの変動を抑制しあるいは変動をキャンセルするために前記信号基準レベルの変動に対応する周波数の信号を通過させるローパスフィルタあるいはバンドパスフィルタと、前記信号基準レベルの変動に対応する周波数の信号を阻止するハイパスフィルタのいずれかのフィルタ回路に前記受光信号を通し、前記フィルタ回路から得られる信号に基づいて前記外周面の欠陥の検出信号を得る請求項２記載のディスクの周面欠陥検出方法。
【請求項４】
前記フィルタ回路は、高周波ノイズと欠陥検出信号とを除去する他のハイパスフィルタを有し、前記他のハイパスフィルタと前記ローパスフィルタおよび前記バンドパスフィルタのいずれかとを通して前記信号基準レベルの変動に対応する周波数の信号を検出基準信号として得て、この信号と前記受光信号とを比較することで前記外周面の欠陥の検出信号を得る請求項３記載のディスクの周面欠陥検出方法。
【請求項５】
前記ハイパスフィルはバンドパスフィルタであり、前記フィルタ回路は前記バンドパスフィルタにより前記外周面の振れによる周波数の信号を排除して前記受光信号の信号基準レベルを平滑化した前記受光信号を抽出してこの抽出された受光信号に基づいて前記外周面の欠陥の検出信号を得る請求項３記載のディスクの周面欠陥検出方法。
【請求項６】
前記抽出された受光信号をコンパレータにより所定の基準値と比較して前記外周面の欠陥の検出信号を得る請求項５記載のディスクの周面欠陥検出方法。
【請求項７】
ディスクの外周面の欠陥を検出するディスクの周面欠陥検出装置において、
回転するディスクの外周チャンファ部の表面に対して４５°±５°の範囲にある入射角で光ビームを前記外周チャンファ部に照射する投光系と、
前記外周チャンファ部から所定距離離れて設けられ絞りを介して前記外周チャンファ部からの正反射光を受光して受光信号を発生する受光器と、
前記ディスクの回転により発生するディスク外周の振れによる前記受光信号の信号基準レベルの変動を抑制しあるいはキャンセルする基準レベル変動抑止回路とを備え、
前記基準レベル変動抑止回路から得られる信号に基づいて前記外周面の欠陥の検出信号を得るディスクの周面欠陥検出装置。
【請求項８】
前記絞りの孔径は、前記外周チャンファ部の幅に対応する正反射光を通過させるものである請求項７記載のディスクの周面欠陥検出装置。
【請求項９】
前記基準レベル変動抑止回路は、信号基準レベルの変動に対応する周波数の信号を通過させるローパスフィルタあるいはバンドパスフィルタと、前記信号基準レベルの変動に対応する周波数の信号を阻止するハイパスフィルタのいずれかのフィルタ回路を有し、前記受光信号を前記フィルタ回路に通した信号に基づいて前記外周面の欠陥の検出信号を得る請求項８記載のディスクの周面欠陥検出装置。
【請求項１０】
前記フィルタ回路は前記ローパスフィルタあるいはバンドパスフィルタのいずれかと高周波ノイズと欠陥検出信号とを除去する他のハイパスフィルタとを有し、
前記基準レベル変動抑止回路は、前記他のハイパスフィルタとを通して高周波ノイズと欠陥検出信号とを除去して前記信号基準レベルの変動に対応する周波数の信号を検出基準信号として得て、前記検出基準信号と前記受光信号とを比較することにより前記外周面の欠陥について欠陥検出信号を得る請求項９記載のディスクの周面欠陥検出装置。
【請求項１１】
前記光ビームはレーザ光であり、前記受光器を前記ディスクの表面に対して垂直な方向に配置し、前記検出基準信号と前記受光信号とは、比較増幅器、コンパレータおよび差動増幅器のうちの１つにより比較される請求項１０記載のディスクの周面欠陥検出装置。
【請求項１２】
前記ハイパスフィルはバンドパスフィルタであり、前記バンドパスフィルタにより前記外周面の振れによる周波数の信号を排除して前記受光信号の信号基準レベルを平滑化した前記受光信号を抽出してこの抽出された受光信号に基づいて前記外周面の欠陥の検出信号を得る請求項９記載のディスクの周面欠陥検出装置。
【請求項１３】
さらにコンパレータを有し、前記光ビームはレーザ光であり、前記受光器が前記ディスクの表面に対して垂直な方向に配置され、前記抽出された信号を前記コンパレータにより所定の基準値と比較して前記コンパレータの出力に基づいて前記外周面の欠陥の検出信号を得る請求項１２記載のディスクの周面欠陥検出装置。
【請求項１４】
さらにＡ／Ｄ変換回路とデータ処理装置とを有し、前記欠陥検出信号は、前記Ａ／Ｄ変換回路によりデジタル値として前記データ処理装置に入力され、前記データ処理装置は、前記欠陥検出信号のレベルに応じて前記外周面の欠陥か否かの判定をしかつ、前記外周面の欠陥の数に基づいて前記ディスクの合否の判定をする請求項１３記載のディスクの周面欠陥検出装置。
【請求項１５】
前記ディスクは、アルミサブストレート、アルミサブストレートを有する磁気ディスク、ガラスサブストレートを有する磁気ディスク、その他のメディアディスクのいずれかから選択されたものである請求項１４記載のディスクの周面欠陥検出装置。
【発明の詳細な説明】
【技術分野】
【０００１】
この発明は、ディスクの周面欠陥検出方法および検出装置に関し、詳しくは、欠陥の１つである付着異物をほとんど検出することなく、ディスク基板をチャックしたときに残るチャック痕、疵や欠け等の外周欠陥を高精度に検出することができるようなディスクの周面欠陥検出方法および検出装置に関する。
【背景技術】
【０００２】
コンピュータ等の情報記録媒体の１つである磁気ディスクは、従来はアルミディスクを素材としていたが、近年は、小型高記録密度化の要求からガラスディスクを素材とし、これに磁性膜を形成している。ガラスディスクは、表面を研磨して平滑とされるが、研磨作業や取り扱い中などにおいて、その内周エッジあるいは外周エッジが欠けたり、割れたりすることがある。それによりディスクの品質が低下するので、表面検査工程において、欠け、割れ等が検査され、その程度が小さいときは再研磨され、これが大きいときには当該ディスクは不良品とされる。その欠け、割れの大きさの程度は欠陥検査装置により検査されて判定されている。
【０００３】
図６により、ガラスディスクの外周エッジ部と、その欠け欠陥を説明する。
図６（ａ）において、ガラスディスク１は、各種の外径のものがあり、それぞれは所定の直径の中心孔Ｈを有する。（ｂ）は、その外周部分の断面を示し、上側となるその表面を１ａ 、下側となるその表面（裏面）を１ｂ 、外周の側面を１ｃ とする。ディスク１は、側面１ｃ の付近が面取りされた上側の周縁部（以下チャンファ）ＣhUと下側のチャンファＣhDが形成されており、側面１c より内方の長さｄの範囲が外周エッジ部Ｅ（外周面）とされ、ここに生じた欠け、割れが周面欠陥Ｋとされる。なお、長さｄはディスク１のサイズにより異なり、例えば、２．５インチの場合は０．２ｍｍとされている。
【０００４】
ハードディスク装置（ＨＤＤ）は、現在では自動車製品や家電製品、音響製品の分野にまで浸透し、３．５インチから１．８インチに、さらには１．０インチ以下のハードディスク駆動装置が各種製品に内蔵され、使用されている。しかも、高記録密度の磁気ヘッドとヘッド位置決め精度の向上により、最近では、ガラスディスク基板（ガラスサブストレート）に加えて安価なアルミディスク基板（アルミサブストレート）も多く使用され、ＨＤＤの用途に応じてこれら基板の使い分けが行われている。
ガラスサブストレートを使用した磁気ディスクの従来の外周エッジの欠陥検出方法としては、外周エッジ部Ｅの上部に、法線からみた入射角３０゜程度でチャンファ部に投光して散乱光を受光する第１の受光系と、これに加えて、ディスクの外周側面に対向する方向で散乱光を受光する第２の受光系を設けた出願人による発明が公知となっている（特許文献１）。
さらに、周面欠陥の検出装置ではないが、透明体ディスクの上部からディスク表面へ線状の光を照射してこれをディスクの内部で全反射させて外周側面からの散乱光を受光してディスク表面における欠陥を検出する欠陥検出装置が公知となっている（特許文献２）。
【特許文献１】特開平７−１９０９５０号公報
【特許文献２】特開昭６４−５７１５４号公報
【発明の開示】
【発明が解決しようとする課題】
【０００５】
アルミサブストレートあるいはこれを基板とするアルミ磁気ディスク（以下これらをアルミディスクという）を利用した高記録密度のＨＤＤの場合には、ディスクの外周エッジ部Ｅの幅あるいはチャンファ部の幅は、現在では０．１５ｍｍ以下と狭く、外周エッジ部Ｅぎりぎりまでトラックが形成される。ディスクの厚さは、その外径に応じて、０．５ｍｍ〜１．３ｍｍ程度であり、チャンファの角度は４５゜±５゜程度の傾斜とされ、側面１c の幅も狭くなってきている。
このようなアルミディスクは、ガラスディスクより表面が柔らかく、ディスクハンドリングの際にチャック痕が付き易い。
【０００６】
ディスクのチャックは、通常、ディスクの外周に設けられたエッジ（チャンファ部分と側面）で行われることが多いので、チャンファ部分にチャック疵がつき易い。アルミディスクのチャック痕は、ガラスディスク基板の疵や欠けに比べて浅く、１００μｍ前後の大きさとなり、アルミディスクが不透明な素材であることから透過型の検出ができない。
従来の疵より小さいこのようなチャック痕は、特許文献１に示されるような従来のガラスディスクの外周エッジの欠陥検出方法で欠陥検出をしても検出信号のレベルが低く、チャンファに付着した異物とチャック疵との区別がしにくい欠点がある。
なお、付着異物（以下異物）は洗浄すれば採れるが、問題となるようなチャック痕のあるディスクは不良となるか、場合によっては研磨して取除くことになる。
一方、ガラスディスクは、チャック痕とはならずに欠けることが多く、その欠けが比較的小さいものもある。このような場合も欠陥検出をした場合に検出信号のレベルが低く、チャンファに付着した異物とチャック疵との区別がつきにくい。
【０００７】
異物とチャック疵との区別ができない理由の１つに、検査対象となるディスクの回転に応じて発生するディスクの面振れによるディスク外周面の上下方向の振れがある。
すなわち、検査対象となるディスクは、スピンドルに挿着されて回転状態で欠陥検査が行われので、欠陥検出時のディスクの外周面では特にディスクの面振れにより上下方向の振れが大きくなる。そのため、チャック痕による疵の検出信号の基準レベルがディスクの振れにより変動し、チャック痕による疵の検出信号と異物等の検出信号とを明確に分離できない問題がある。異物を疵あるいは欠陥として検出することは、ディスクの歩留まりを悪化させる。
この発明の目的は、このような従来技術の問題点を解決するものであって、欠陥の１つである異物をほとんど検出することなく、ディスク基板をチャックしたときに残るチャック痕、疵や欠け等の外周欠陥を高精度に検出することができるようなディスクの周面欠陥検出方法を提供することにある。
この発明の他の目的は、異物をほとんど検出することなく、外周面の欠陥を高精度に検出することができるようなディスクの周面欠陥検出装置を提供することにある。
【課題を解決するための手段】
【０００８】
このような目的を達成するためのこの発明のディスクの周面欠陥検出方法あるいはその周面欠陥検出装置の構成は、回転するディスクの外周チャンファ部の表面に対して４５°±５°の範囲にある入射角で光ビームを外周チャンファ部に照射し、外周チャンファ部から所定距離離れて設けられた受光器で外周チャンファ部からの正反射光を絞りを介して受光して受光信号を得て、ディスクの回転により発生するディスクの外周面の振れによる受光信号の信号基準レベルの変動を抑制しあるいは変動をキャンセルして外周面の欠陥の検出信号を得るものである。
【発明の効果】
【０００９】
このように、この発明は、チャンファ部の表面に対して４５°±５°の範囲にある入射角で入射した光の正反射光を絞りを介して受光器で受光することで、散乱光を多く発生する異物の受光信号のレベルの低下を小さく抑えて、ノイズに近いものとし、チャック痕による疵等の受光信号のレベルを大きく低下させ、異物と疵の検出信号の間のレベル差を大きくする。その上で、ディスクの回転により発生するディスク外周面の上下方向の振れによる受光信号の信号基準レベルの変動を抑制しあるいは変動をキャンセルする。
これにより受光信号においてレベルが大きく低下した外周欠陥の検出信号を容易に得ることができる。
受光信号の信号基準レベルの変動を抑制しあるいはキャンセルするには、基準レベル変動抑止回路を設けることができる。その回路の一例としては、ローパスフィルタあるいはバンドパスフィルタとを介して信号基準レベルの変動に対応する信号を受光信号から検出基準信号として抽出し検出基準信号と前記受光信号とを比較する回路を挙げることができる。さらに他の例としては、ハイパスフィルタを通すことで受光信号の信号基準レベルの変動成分を除去して欠陥検出信号を受光信号から抽出する回路を挙げることができる。
このような受光信号の基準レベル変動抑止回路によりチャック痕による疵を含めた外周チャンファ部の疵を異物と区別して異物をほとんど検出することなく、外周欠陥を検出することができる。
その結果、この発明を適用した周面欠陥検出装置にあっては、ディスクの外周チャンファ部におけるチャック痕等による疵や欠け等の欠陥を異物と切り離して効率よく、高精度に検出することができる。
【発明を実施するための最良の形態】
【００１０】
図１は、この発明のディスクの周面欠陥検出方法を適用したアルミディスクの周面欠陥検出装置の一実施例の説明図、図２（ａ）は、ディスクのチャンファ部に異物が付着した場合の説明図、図２（ｂ）は、ディスクのチャンファ部にチャック痕等による疵があった場合の説明図、図３は、トラック１周分の検出信号の説明図、図４（ａ）は、受光器の検出信号をフィルタ処理した信号波形の説明図、図４（ｂ）は、基準レベル変動抑止回路を経た欠陥検出信号の説明図、図５は、他の受光信号の基準レベル変動抑止回路を用いた欠陥検出回路のブロック図である。
図１において、１０は、欠陥検査装置であり、スピンドル２と、欠陥検出光学系３、欠陥検出回路５、データ処理装置６、そしてディスク反転機構８とからなる。
欠陥検出光学系３は、投光系３ａ、そして受光系４とからなる。
スピンドル２は、検査対象となるアルミディスク（以下ディスク）１が装着されて回転する。投光系３ａは、ディスク１の表面１ａ側の外周チャンファ部１ｄに対して入射角θi≒４５゜で光源（レーザ光源）３１からのレーザスポットＳpをディスクの外周面の検査領域Ｑに照射する。
【００１１】
受光系４は、結像レンズ４１と、絞り孔板４２、そして受光器４３とからなる。絞り孔板４２は、受光器４３の手前に設けられている。
受光器４３は、アバランシェ・フォトダイオード（ＡＰＤ）であり、ディスク１の表面１ａに対して垂直方向で外周チャンファ部１ｄから所定距離離れた上部に配置され、その受光面に、結像レンズ４１、絞り孔板４２を介して検査領域Ｑからの正反射光を受ける。
なお、入射角θiは、表面側の外周チャンファ部１ｄの表面に立てた法線に対して４５°±５°の範囲にある。絞り孔板４２は、チャンファ部１ｄからの正反射光のみを通す大きさの絞り孔４２ａを有している。その孔径は調整可能である。レーザスポットＳpの径は、ディスク１の厚さよりも大きいが、受光器４３は、ディスク１の表面１ａに対して垂直方向で外周チャンファ部１ｄの上部にあることと、絞り孔４２ａの存在によりチャンファ部１ｄからの正反射光のみを受けることができる。
【００１２】
図１において、５は、欠陥検出回路であり、プリアンプ（ＡＭＰ）５１とＬＰＦ（ローパスフィルタ）５２、ＨＰＦ（ハイパスフィルタ）５３、比較増幅器（ＣＯＭ）５４、そしてＡ／Ｄ５５とからなり、Ａ／Ｄ５５の出力がデータ処理装置６に送出されて、データ処理装置６において、ディスク１のチャンファ部１ｄの欠陥の数と大きさとが検出される。
ここで、ＬＰＦ５２は、ディスク外周面の上下方向の振れによる発生する受光信号の基準信号を抽出する回路であり、ＨＰＦ５３は、ＬＰＦ５２の出力端子とグランドＧＮＤとの間に挿入されて、高周波ノイズ成分と疵や異物等の検出信号成分をグランドＧＮＤへと落とす回路である。そして、比較増幅器（ＣＯＭ）５４は、ディスク外周面の上下方向の振れによる発生する受光信号の基準レベルの変動をキャンセルして外周欠陥の検出信号を発生する回路になっている。
【００１３】
受光器４３の検出信号は、欠陥検出回路５のプリアンプ５１、ＬＰＦ（ローパスフィルタ）５２、ＨＰＦ（ハイパスフィルタ）５３を経て比較増幅器５4の（＋）入力に入力される。比較増幅器５４の（−）入力は、プリアンプ５１の出力を受ける。
データ処理装置６は、ＭＰＵ６１と、メモリ６２、ディスプレイ６３、キーボード６４、インタフェース回路（Ｉ／Ｆ）６５等からなり、これらが相互にバス６６を介して接続されている。６７は、ＨＤＤ等の外部記憶装置である。
メモリ６２には、欠陥検出プログラム６２ａと、欠陥大きさ判定プログラム６２ｂ、ディスク合否判定プログラム６２ｃ、そして作業領域６２ｄが設けられている。
なお、ＭＰＵ６１は、スピンドル２側に設けられたエンコーダ２ａからディスクの１回転に対応して得られるインデックス信号ＩＮＤをバス６６を介して割込み信号として受ける。
８は、ディスク反転機構であって、スピンドル２に装着されたディスク１に隣接して設けられている。このディスク反転機構８は、ディスク１の外周側面をチャック機構でチャックしてスピンドル２からディスク１をその上に持ち上げて受取る。そして、レール（図示せず）上を後退してスピンドル２の位置からディスク１を待避させて、表面側外周チャンファ部１ｄが検査済みのディスク１を反転して裏面側を表面としてレール上を前進してディスク１をスピンドル２の上のに戻してスピンドル２に再装着する。なお、ディスク反転機構は各種のものが公知であるので詳細は割愛する。
【００１４】
図２は、欠陥検出光学系の外周欠陥検出についての説明図であって、図２（ａ）は、ディスク１のチャンファ部１ｄに異物が付着した場合の説明図、図２（ｂ）は、ディスク１のチャンファ部１ｄにチャック痕等による疵Ｆがあった場合の説明図である。なお、これら各図においては、説明の都合上、絞り４２は省略してある。
図２（ａ）に示すように、チャンファ部に異物があるときには、その異物は、前方・後方散乱光を多く発生し、正反射光が減少するので、正反射光を受ける受光器４３は、図３の点Ｐ1，Ｐ2，Ｐ3で示すような各波形がその受光信号（検出信号Ｓ）に現れてくる。
ディスク１のチャンファ部１ｄにチャック痕等による疵Ｆがあった場合には、図２（ｂ）に示すように、正反射光は大きく減少するので受光器４３の受光信号は低下し、図３の点ＫFで示すようなパルス状の波形が疵Ｆの検出信号として得られる。これに対して、異物に対応する点Ｐ1，点Ｐ2，点Ｐ3で示す各波形の検出信号（以下点Ｐ1の検出信号，点Ｐ２の検出信号，点Ｐ３の検出信号）は、それぞれ点ＫFで示す波形の検出信号（以下点ＫFの検出信号）よりも受光信号のレベル低下が小さい。
しかし、受光信号の基準レベルの変動により、点ＫFの検出信号が検出信号Ｓの山の位置にあるとき、あるいはレベル低下が小さかったとき、あるいは逆にパルス的な波形の点Ｐ3の検出信号のレベルが図示するもよいも大きいときには判別し難くなることがある。
【００１５】
そこで、検出信号ＳをＬＰＦ（ローパスフィルタ）５２とＨＰＦ（ハイパスフィルタ）５３とを通して、ＬＰＦ５２でディスク１の振れに応じた信号成分を通過させ、残留する高周波ノイズと点Ｐ1，Ｐ2，Ｐ3，点ＫFの各検出信号成分をＨＰＦ５３でグランドへと落として除去して、結果として、検出信号Ｓから図４（ａ）に示すような、ほとんどノイズのないディスク１の振れに対応した振動波形の検出基準信号を抽出する。
この振動波形が比較増幅器（ＣＯＭ）５４の（＋）入力に加えられることで、（−）入力側の受光信号の基準信号レベルの変動がキャンセルされる。
検出信号Ｓは、完全な正弦波ではないので、これらフィルタを通すことが必要になるが、スピンドルの回転数を、例えば１０，０００回転とし、ＬＰＦ５２の遮断周波数を、例えば、２００Ｈｚとして２．５インチのディスク外周面の上下方向の振れに応じた信号成分を通過させるものとすれば、１．８インチの場合にも共に使用可能である。
このＬＰＦ５２は、スピンドルの回転数にもよるが、検出信号Ｓにおける１つあるいは複数の径における各ディスク外周面の上下方向の振れに応じた信号成分の周波数に対応させてそれらの信号成分を抽出するＢＰＦ（バンドバスフィルタ）を用いることができる。したがって、ＬＰＦ５２をＢＰＦとしてもよい。
【００１６】
そこで、図４（ａ）の信号と図３（ａ）の検出信号Ｓとを比較増幅器５３で比較した結果として、比較増幅器５３がパルス信号状に低下した点Ｐ1，Ｐ2，Ｐ3と点ＫFの各検出信号の位置で図４（ｂ）に示すような欠陥検出信号Ｓｋを得ることができる。
このようにすると、受光信号の基準レベルの変動がキャンセルされるばかりでなく、点Ｐ1，Ｐ2の各検出信号で示される異物に対応する検出信号はレベル低下が小さくノイズ的なものとなっているので、図４（ｂ）に点線で示すように、そのほとんどが比較増幅器５４の出力には現れてこない。
比較増幅器５４は、高利得非反転直流増幅器であるので、（−）入力の入力信号の高周波ノイズも増幅される可能性があるが、これは、非反転直流増幅器の動作不感帯で多少除去され、さらに図示していないが、コンデンサ等でグランドＧＮＤへ落とせば除去される。これにより高周波ノイズに近い点Ｐ1，Ｐ2の各検出信号は除去される。
その結果として図４（ｂ）のような検出信号を比較増幅器５４の出力として欠陥検出信号Ｓｋを得ることができる。ここで多くの異物についての検出信号は落とされる。もちろん、このとき高周波ノイズも出力されない。
【００１７】
その結果、検出されるものは、異物に対応する比較的レベル低下があり、もしあるとすればパルス的な点Ｐ3の検出信号と、低下レベルの大きい、疵Ｆに対応する点ＫFの検出信号になる。これら点Ｐ3と点ＫFの各検出信号は、受光光の減光レベルに差があるので、これに応じたレベルを持つパルス信号として比較増幅器５４の出力に現れてくる。しかも、パルス的な点Ｐ3の検出信号が発生することは少ない。
Ａ／Ｄ５５は、これら点Ｐ3と点ＫFの各検出信号に対応するパルス信号を欠陥検出信号Ｓｋとして受ける。この信号のレベルを欠陥検出信号Ｓｋの発生ごとにデジタル値に変換して作業領域６２ｄに順次記憶する。
【００１８】
データ処理装置６は、インデックス信号ＩＮＤを受けて、ディスク１の１周分のチャンファの検査が終了したときに、欠陥検出プログラム６２ａをコールする。欠陥検出プログラム６２ａは、ＭＰＵ６１により実行されて、ＭＰＵ６１は、欠陥検出信号Ｓｋのレベルが所定値以上のものをチャンファ部１ｄにある欠陥（チャック痕を含めての欠陥）として検出し、作業領域６２ｄの所定の記憶位置にそのレベル値をそれぞれに記憶し、かつ、その数をカウントする。このときに、比較的大きなパルス的な点Ｐ3の検出信号は、所定の基準値と比較され異物の検出信号として排除される。
なお、前記の所定の基準値は、異物についての点Ｐ3の検出信号を排除し、チャック痕による疵、あるいはその他の疵を検出できるレベルとして選択されている。
【００１９】
ＭＰＵ６１は、次に欠陥大きさ判定プログラム６２ｂをコールする。
欠陥大きさ判定プログラム６２ｂは、ＭＰＵ６１により実行されて、ＭＰＵ６１は、作業領域６２ｄの所定の記憶位置に記憶された欠陥検出信号Ｓｋの各検出信号のレベルから欠陥を大，中，小の３段階に分類して作業領域６２ｄの前記とは別の所定の記憶位置に記憶する。そして、次にディスク合否判定プログラム６２ｃをコールする。
ディスク合否判定プログラム６２ｃは、ＭＰＵ６１により実行されて、ＭＰＵ６１は、作業領域６２ｄに記憶された大きさ分類されたデータを参照して大が１個あったときには不合格とする。中が２個以上あったときのも不合格とする。小が５個を超えたときには不合格とする。合否判定の結果、表面側が不合格となったディスクは、ディスプレイ６３にその旨が表示され、不合格ディスクは、ハンドリングロボットによりスピンドル２から取外されて不合格のカセット（ＮＧのカセット）に搬送される。
【００２０】
表面側チャンファ部ＣhUの検査で合格になったディスクは、ＭＰＵ６１がディスク反転機構８を駆動してこの合格ディスクをディスク反転機構８により反転して裏面側のチャンファ部ＣhDを外周チャンファ部１ｄとしてスピンドル２に再挿着する。
そして、インデックス信号ＩＮＤ待ちをして前記と同様な検査を裏面側のチャンファ部ＣhDに対して行う。
ＭＰＵ６１は、この裏面側のディスク合否判定が終了した時点で検査ディスクの合否判定の結果をディスプレイ６３に表示して不合格ディスクをＮＧのカセットに搬送する。
その結果、表裏いずれかで不合格となったディスクは、ＮＧのカセットに収納され、Ｇ（合格）となったディスクは、合格（Ｇ）のカセットに収納されてここでのディスク１の検査が終了し、次の新しい検査対象ディスクの検査に移る。
ところで、前記したように、図１の実施例では、パルス的な点Ｐ3の検出信号は、所定の基準値と比較して排除しているが、点Ｐ3の検出信号と点ＫFの検出信号の排除は、比較増幅器５４とＡ／Ｄ５５との間に欠陥検出信号Ｓｋを所定の基準値と比較するコンパレータを設けて、点Ｐ3の検出信号を欠陥検出信号Ｓｋから排除するようにしてもよい。次にその例を説明する。
【００２１】
図５は、他の受光信号の基準レベル変動抑止回路を用いた欠陥検出回路のブロック図であって、欠陥検査装置１０は、図１の欠陥検出回路５に換えて欠陥検出回路７を用いる。
欠陥検出回路７は、図１におけるＬＰＦ５２とＨＰＦ５３の接続関係が逆になり、ＨＰＦ５３の後ろにＬＰＦ５２が従属接続されている。ＬＰＦ５２の出力は、コンパレータ５４ａに入力され、コンパレータ５４ａの“１”あるいは“０”の出力がＡ／Ｄ５５に入力される。これにより、コンパレータ５４ａの“１”の期間が長いときにはその期間分“１”のレベルが所定の周期で連続してＡ／Ｄに変換されることになる。
なお、Ａ／Ｄ５５に換えて欠陥ビットメモリを設けて、ディスク１周分のビットデータを記憶し、ＭＰＵ６１がビットデータを読出すようにしてもよい。
通常、ＨＰＦ５２にＬＰＦ５３を従属接続する構成は、ＢＰＦ（バンドパスフィルタ）になる。
【００２２】
ここで、ＨＰＦ５３は、遮断周波数を２００Ｈｚとし、ディスク外周面の上下方向の振れによる周波数に対応する受光信号の信号基準レベルの変動周波数を遮断周波数以下にすることで、ディスク外周面の上下方向の振れによる周波数を排除して信号基準レベルを平滑化した信号を抽出する。これにより受光信号の基準レベルの変動が抑制される。
ＬＰＦ５２は、遮断周波数を３ＭＨｚとする。これは、受光信号から高周波ノイズをカットし、異物を含めた欠陥検出信号を排除するフィルタである。
結局のところ、ＨＰＦ５３とＬＰＦ５２とからなるＢＰＦの帯域を２００Ｈｚ〜３ＭＨｚとしたフィルタを設けて欠陥検出信号を抽出する。
この欠陥検出信号を、比較基準となる基準値（閾値）Ｖｔｈを（＋）入力側に持つコンパレータ５４ａの（−）入力に入力することで、高周波ノイズ成分と異物に対応する点Ｐ1，Ｐ2，Ｐ3の各検出信号を欠陥検出信号からカットして、図４（ｂ）に示す欠陥検出信号Ｓｋから点Ｐ3の検出信号を除いた点ＫFの検出信号を得る。
なお、コンパレータ５４ａの基準値Ｖｔｈは、点Ｐ3の検出信号を除去する値に調整される。
【産業上の利用可能性】
【００２３】
以上説明してきたが、図１の実施例では比較増幅器を用いているが、アンプで増幅した受信信号のレベルが大きい場合には通常のコンパレータあるいは差動増幅器を使用することができる。
また、実施例では、アルミディスク（アルミサブストレート、アルミサブストレートを有する磁気ディスク）を例として説明しているが、この発明は、アルミディスクに限定されるものではなく、ガラスサブストレートを有する磁気ディスク、その他のメディアディスク等にも適用できる。
さらに、実施例の受光器は、ＡＰＤを用いているが、この発明は、ＣＣＤやホトマルチプライヤなど各種の受光素子，受光器を用いることができる。
【００２４】
さらに、実施例では、ディスクの表面側チャンファ部のみを検査対象としているが、この発明は、裏面側チャンファ部に対応して受光器を設けて、裏面側チャンファ部に光ビームを照射して裏面側に設けた受光器で裏面側のチャンファ部の外周欠陥を検出するようにしてもよい。また、表裏面のチャンファ部の外周欠陥を同時に検出するようにしてもよい。
さらに、実施例では、照射光をレーザビームとしているが、照射光は白色光であってもよいことはもちろんである。
なお、この明細書での欠陥という言葉は、欠損や欠落のみならず疵一般に対する広義の概念として使用するものであって、これについては特許請求の範囲における語も同様である。
【図面の簡単な説明】
【００２５】
【図１】図１は、この発明のディスクの周面欠陥検出方法を適用したアルミディスクの周面欠陥検出装置の一実施例の説明図である。
【図２】図２（ａ）は、ディスクのチャンファ部に異物が付着した場合の説明図、そして図２（ｂ）は、ディスクのチャンファ部にチャック痕等による疵があった場合の説明図である。
【図３】図３は、トラック１周分の検出信号の説明図である。
【図４】図４（ａ）は、受光器の検出信号をフィルタ処理した信号波形の説明図、そして図４（ｂ）は、基準レベル変動抑止回路を経た欠陥検出信号の説明図である。
【図５】図５は、他の受光信号の基準レベル変動抑止回路を用いた欠陥検出回路のブロック図である。
【図６】図６（ａ）は、ガラスディスクの説明図、そして図６（ｂ）はその外周エッジ部と欠陥の説明図である。
【符号の説明】
【００２６】
１…アルミディスク、１a …外周チャンファ部、
２…スピンドル、３…欠陥検出光学系、
３ａ…投光系、３１…光源（レーザ光源）、
４…受光系、４１…結像レンズ、４２…絞り孔板、４３…受光器、
５，７…欠陥検出回路、
５１…プリアンプ、５２…ＬＰＦ（ローパスフィルタ）、
５３…ＨＰＦ（ハイパスフィルタ）、
５４，５４ａ…コンパレータ、５５…Ａ／Ｄ、
６…データ処理装置、６１…ＭＰＵ、
６２…メモリ、６２ａ…欠陥検出プログラム、
６２ｂ…欠陥大きさ判定プログラム、
６２ｃ…ディスク合否判定プログラム、
６２ｄ…作業領域。６３…ディスプレイ、
６４…キーボード、
８…ディスク反転機構、１０…欠陥検査装置、
Ｑ…検査領域。
【図１】
2008111830.tif 000003
【図２】
2008111830.tif 000004
【図３】
2008111830.tif 000005
【図４】
2008111830.tif 000006
【図５】
2008111830.tif 000007
【図６】
2008111830.tif 000008